(57)【要約】【課題】施工者等が、サーミスタが設置されていた元の取付位置を知ることができるサーミスタ固定装置を提供する。【解決手段】配管３にサーミスタ２を固定するためのサーミスタ固定装置１であって、第２固定具２０と、第１固定具１０とを備える。第２固定具２０は、配管３に取り付けられる。第１固定具１０は、第２固定具２０に対して着脱可能で、第２固定具２０に装着が行われているときは、サーミスタ２と配管３とを接触させる。【選択図】図１
2010054375.tif 000002
【特許請求の範囲】
【請求項１】
配管（３）にサーミスタ（２）を固定するためのサーミスタ固定装置（１）であって、
前記配管（３）に取り付けられる第２固定具（２０）と、
前記第２固定具（２０）に対して着脱可能で、前記第２固定具（２０）に装着が行われているときは、前記サーミスタ（２）と前記配管（３）とを接触させる第１固定具（１０）と、
を備えるサーミスタ固定装置（１）。
【請求項２】
前記第１固定具（１０）は、面対称である傾斜面（１１ａ）と、前記サーミスタ（２）を保持する保持部（１２）とを有し、
前記第１固定具（１０）の前記第２固定具（２０）への装着が行われている過程において、前記傾斜面（１１）が離反する弾性変形が前記第１固定具（１０）に生じ、
前記保持部（１２）は、前記過程において、前記第１固定具（１０）の弾性変形が最大であるときも前記サーミスタ（２）を保持する第１保持部（１２ａ）を有する、
請求項１に記載のサーミスタ固定装置（１）。
【請求項３】
前記保持部（１２）は、前記サーミスタ（２）の長手方向の動きを規制する規制部（８０）をさらに有し、
前記保持部（１２）には、切欠き部（７０ａ）が形成される、
請求項２に記載のサーミスタ固定装置（１）。
【請求項４】
前記保持部（１２）は、第２保持部（１２ｂ）をさらに有し、
前記第２保持部（１２ｂ）は、前記切欠き部（７０ａ）を挟んで前記第１保持部（１２ａ）と反対側に位置し、かつ、前記第１保持部（１２ａ）よりも前記傾斜面（１１）側部分に位置する、
請求項３に記載のサーミスタ固定装置（１）。
【発明の詳細な説明】
【技術分野】
【０００１】
本発明は、サーミスタ固定装置に関する。
【背景技術】
【０００２】
従来、サーミスタの配管への取り付けを１ピースのバネで行うサーミスタ取付装置が提案されている（特許文献１参照）。
【特許文献１】特開平８−１５９５１０号公報
【発明の開示】
【発明が解決しようとする課題】
【０００３】
しかし、特許文献１では、施工者等がサーミスタを交換する場合に、バネとサーミスタを一体として取り外さなければならないので、サーミスタがどの位置に設置されていたかが不明になることが想定される。
【０００４】
そこで、本発明の課題は、施工者等が、サーミスタが設置されていた元の取付位置を知ることができるサーミスタ固定装置を提供することにある。
【課題を解決するための手段】
【０００５】
第１発明に係るサーミスタ固定装置は、配管にサーミスタを固定するためのサーミスタ固定装置であって、第２固定具と、第１固定具とを備える。第２固定具は、配管に取り付けられる。第１固定具は、第２固定具に対して着脱可能で、第２固定具に装着が行われているときは、サーミスタと配管とを接触させる。
【０００６】
ここで、例えば、第２固定具は、取り付けた後は取り外さなくてもよい。
【０００７】
第１発明にかかるサーミスタ固定装置では、サーミスタ側に第１固定具を、配管側に第２固定具を備えることによって、サーミスタを取り外し、再度取り付ける際に施工者等が、サーミスタが設置されていた元の取付位置を知ることができる。
【０００８】
第２発明に係るサーミスタ固定装置は、第１発明に係るサーミスタ固定装置であって、第１固定具は、傾斜面と、保持部とを有する。傾斜面は、面対称である。保持部は、サーミスタを保持する。第１固定具の第２固定具への装着が行われている過程において、傾斜面が離反する弾性変形が第１固定具に生じる。保持部は、第１保持部を有する。第１保持部は、その過程において、第１固定具の弾性変形が最大であるときもサーミスタを保持する。
【０００９】
ここで、例えば、第１固定具の第２固定具への装着が行われている過程とは、装着が完了しているときも含むものとする。
【００１０】
第２発明に係るサーミスタ固定装置では、保持部が第１保持部を有することによって、サーミスタを保持した状態を維持することができる。
【００１１】
第３発明に係るサーミスタ固定装置は、第２発明に係るサーミスタ固定装置であって、保持部は、規制部をさらに有する。規制部は、サーミスタの長手方向の動きを規制する。保持部には、切欠き部が形成される。
【００１２】
第３発明に係るサーミスタ固定装置では、保持部が規制部を有することによって、また、保持部の一部に切欠き部が形成されることによって、サーミスタを保持した状態を維持することができる。
【００１３】
第４発明に係るサーミスタ固定装置は、第３発明に係るサーミスタ固定装置であって、保持部は、第２保持部をさらに有する。第２保持部は、切欠き部を挟んで第１保持部と反対側に位置し、かつ、第１保持部よりも傾斜面側部分に位置する。
【００１４】
第４発明に係るサーミスタ固定装置では、保持部の一部に切欠き部が形成されることによって、サーミスタを保持した状態を維持することができる。
【発明の効果】
【００１５】
第１発明に係るサーミスタ固定装置では、サーミスタ側に第１固定具を、配管側に第２固定具を備えることによって、サーミスタを取り外し、再度取り付ける際に施工者等が、サーミスタが設置されていた元の取付位置を知ることができる。
【００１６】
第２発明に係るサーミスタ固定装置では、保持部が第１保持部を有することによって、サーミスタを保持した状態を維持することができる。
【００１７】
第３発明に係るサーミスタ固定装置では、保持部が規制部を有することによって、また、保持部の一部に切欠き部が形成されることによって、サーミスタを保持した状態を維持することができる。
【００１８】
第４発明に係るサーミスタ固定装置では、保持部の一部に切欠き部が形成されることによって、サーミスタを保持した状態を維持することができる。
【発明を実施するための最良の形態】
【００１９】
以下、図面を参照しながら、本発明の実施形態について説明する。
【００２０】
なお、以下の実施形態は、本発明の具体例であって、本発明の技術的範囲を限定するものではない。
【００２１】
＜サーミスタ固定装置１の構成＞
サーミスタ固定装置１は、サーミスタ２を取り付け、固定する装置である。サーミスタ２は、円柱の形状を有しており、配管３内を流れる冷媒の温度を検出するために使用される温度検出装置である。図１に示すように、サーミスタ固定装置１は、主として、第１固定具１０と、第２固定具２０とを備える。第１固定具１０は、サーミスタ２を取り付けて保持するために使用され、第２固定具２０は、配管３を取り付けるために使用される。
【００２２】
＜第１固定具１０と第２固定具２０との装着関係＞
第１固定具１０は、第２固定具２０に対して着脱可能である。図３、図４（点線部分）に示すように、第１固定具１０が第２固定具２０に装着されているときは、サーミスタ２が配管３を圧着した状態にあり、サーミスタ２の下部分と配管３の上部分とが接触している。
【００２３】
＜第１固定具１０の構成＞
まず、第１固定具１０の構成について説明する。
【００２４】
図１に示すように、第１固定具１０は、保持部１２と、弾性変形部３０とを有する。
【００２５】
保持部１２は、サーミスタ２を保持する。保持部１２は、全円柱の約１／３が開口しており、その開口は下部分に位置する。保持部１２がＣ字形状を有することによって、円柱形状を有するサーミスタ２に外嵌することができる。保持部１２は、第１保持部１２ａと、第２保持部１２ｂと、２つの規制部８０とを有する。また、保持部１２には、４つの切欠き部７０ａ（図２参照）が形成される。切欠き部７０ａは、第１固定具１０を第２固定具２０に取り付ける際、サーミスタ２を保持した状態を維持するために形成された切欠きである。
【００２６】
第１保持部１２ａは、図１、図５に示すように、保持部１２の長手の両端側部分に位置する。
【００２７】
第２保持部１２ｂは、切欠き部７０ａを挟んで第１保持部１２ａと反対側に位置し、かつ、第１保持部１２ａよりも第１傾斜面１１ａ（後述する）側部分に位置する。切欠き部７０ａによって、第２保持部１２ｂは、第１保持部１２ａと区切られている。
【００２８】
図１に示すように、規制部８０は、内側に折り込まれており、サーミスタ２の長手方向の動きを規制する。
【００２９】
弾性変形部３０は、第１傾斜部１１と、第１繋ぎ部１３と、第１湾曲部１４とを有する。
【００３０】
図３に示すように、第１傾斜部１１は、第１傾斜面１１ａを有する。第１傾斜面１１ａは、第１固定具１０の第２固定具２０への装着がされている状態において、第２固定具２０の受け面２１ｂ（後述する）に対向する。
【００３１】
第１繋ぎ部１３は、保持部１２を構成する第２保持部１２ｂと第１傾斜部１１とを繋ぐ。
【００３２】
第１湾曲部１４は、第１傾斜部１１から繋がる部分であり、外側（配管３側の反対側）に向かって湾曲している。
【００３３】
＜第２固定具２０の構成＞
次に、第２固定具２０について説明する。
【００３４】
第２固定具２０は、受け部２１と、第２傾斜部２２と、第２湾曲部２３と、第２繋ぎ部２４と、配管保持部２５とを有する。
【００３５】
受け部２１は、受け面２１ｂを有する。受け面２１ｂは、第１固定具１０の第２固定具２０への装着がされている状態において、第１固定具１０の第１傾斜面１１ａに対向する。
【００３６】
第２傾斜部２２は、第１固定具１０を第２固定具２０に装着する過程において、第１固定具１０の一部が、まず始めに接触する部分である。
【００３７】
第２湾曲部２３は、第１固定具１０の第２固定具２０への装着がされている状態において、第１固定具１０の第１繋ぎ部１３と対向する。
【００３８】
第２繋ぎ部２４は、第２湾曲部２３と、後述する配管保持部２５とを繋ぐ。
【００３９】
配管保持部２５は、配管３が第２固定具２０へ装着されている状態において、配管３を保持する。
【００４０】
＜サーミスタ２の第１固定具１０への取付動作＞
サーミスタ２は、施工者等によって、第１固定具１０へ取り付けられる。その取付動作では、第１保持部１２ａを外側に広げ、保持部１２の下部分に位置する開口から、サーミスタ２を挿入する。
【００４１】
＜第１固定具１０の第２固定具２０への装着動作＞
第１固定具１０は、施工者等によって、第２固定具２０に装着される。その装着動作を以下、図３を参照しながら説明する。ここで、第１固定具１０の第１傾斜部１１および第１湾曲部１４のうち、最も内側（配管３側）にある点を第１湾曲点１７とし、第２固定具２０のうち最も外側（配管３側の反対側）にある点を第２湾曲点２７とする。
【００４２】
施工者等が、第１固定具１０の第２固定具２０への装着を開始すると、まず、第１固定具１０の第１湾曲部１４が、第２固定具２０の第２傾斜部２２に接触する。そして、施工者等が第１固定具１０の第２固定具２０への装着を続けることによって、第１湾曲部１４は、第２傾斜部２２を押し付けながら第２湾曲点２７まで移動していく。
【００４３】
このとき、第２固定具２０は、第１固定具１０によって押し付けられているので、内側に向かって弾性変形している状態にある。他方、第１固定具１０は、第２固定具２０に装着されるために第１湾曲部１４が第２湾曲点２７の位置より外側まで広げられていくので、外側に向かって弾性変形している状態にある。
【００４４】
この後、第１湾曲部１４および第１傾斜面１１ａは、内側に向かって下方に延びる受け面２１ｂに沿って、移動されていく。第１湾曲点１７が第２湾曲点２７を通過するときが、第１固定具１０の外側に向かう弾性変形が最大のときである（図４の実線参照）。ここで、第１固定具１０が外側に向かって弾性変形している場合（配管３側の反対側に向かって第１傾斜部１１が離反している場合）であっても、保持部１２がサーミスタ２を保持し続ける。なお、保持部１２のうち、第１固定具１０の弾性変形が最大である場合であっても、最後までサーミスタ２を保持し続けるのは、第１保持部１２ａである。
【００４５】
第１湾曲点１７が第２湾曲点２７を通過した後は、第１湾曲部１４は、最大に広がっている点である第２湾曲点２７を通過しているので、外側に向かって生じていた第１固定具１０の弾性変形は、内側に向かって生じるようになる。この場合、第１固定具１０の第２固定具２０への押し付け力が弱まっていくので、内側に向かって弾性変形が生じていた第２固定具２０は、外側に向かう弾性変形が生じる。
【００４６】
その後、サーミスタ２と配管３とが接触したところで、装着が完了する。このとき、
受け面２１ｂの下部分に位置する点である受け点２１ａは、第１傾斜面１１ａに接触した状態にある。
【００４７】
この場合、第１固定具１０は、第２固定具２０に装着される前の状態に比べ、外側に向かう弾性変形が生じている。他方、第２固定具２０は、第１固定具１０に装着される前の状態に比べ、内側に向かう弾性変形が生じている。これにより、サーミスタ２と配管３とが接触した状態が保たれている。
【００４８】
なお、第１固定具１０を第２固定具２０から取り外したときには、第１固定具１０は、第２固定具２０が装着される前の元の状態に戻る。この場合、第２固定具２０も、第１固定具１０が装着される前の元の状態に戻る。
【００４９】
＜本実施形態に係るサーミスタ固定装置１の特徴＞
（１）
上記実施形態のサーミスタ固定装置１では、サーミスタ２、配管３にそれぞれ別個の固定具（サーミスタ２には、第１固定具１０、配管３には、第２固定具２０）が取り付けられる。
【００５０】
サーミスタ２を取り付けた第１固定具１０が配管３を取り付けた第２固定具２０に装着されている場合であって、例えば、サーミスタ２を交換したい場合、サーミスタ２に装着されている第１固定具１０のみを、配管３に装着されている第２固定具２０から取り外すことができるので、その後、再度装着するときには、配管３を取り付け、位置が固定された第２固定具２０にサーミスタ２を取り付けた第１固定具１０を装着すればよい。よって、施工者等は、サーミスタ２が設置されていた元の取付位置を知ることができる。
【００５１】
（２）
上記実施形態のサーミスタ固定装置１では、第１固定具１０は、保持部１２を有する。保持部１２には、切欠き部７０ａが形成される。また、保持部１２は、第１保持部１２ａおよび第２保持部１２ｂを有し、切欠き部７０ａによって、第１保持部１２ａと、第２保持部１２ｂは区切られる。
【００５２】
もし、保持部１２に切欠き部７０ａが形成されていないとすると、第１固定具１０の第２固定具２０への装着過程において、保持部が全体的に外上側に広がってしまうので、サーミスタ２が落下する恐れがある。
【００５３】
そこで、第１保持部１２ａと第２保持部１２ｂとを切欠き部７０ａによって区切ることで、第２保持部１２ｂだけが広がるようにし、第１固定具１０全体が広がることを防止する。弾性変形による第１保持部１２ａの広がりは、切欠き部７０ａで第２保持部１２ｂと区切られることによって抑制されるので、第１固定具１０の弾性変形が最大である場合にも第１保持部１２ａは最後までサーミスタ２を保持し続ける。よって、サーミスタ２を保持した状態を維持することができる。
【００５４】
（３）
上記実施形態のサーミスタ固定装置１では、保持部１２は、規制部８０を有する。
【００５５】
もし、規制部８０がないとすると、サーミスタ２が長手方向に動いたときに、保持部の長手の両端側からサーミスタ２が抜けてしまう可能性がある。
【００５６】
そこで、サーミスタ２が保持部１２からサーミスタ２が抜けないように、規制部８０が設けられる。これにより、サーミスタ２を保持した状態を維持することができる。
【産業上の利用可能性】
【００５７】
本発明では、施工者等は、サーミスタが設置されていた元の取付位置を知ることができるので、有用である。
【図面の簡単な説明】
【００５８】
【図１】サーミスタ固定装置の概略構成図。
【図２】第１固定具の平面図。
【図３】サーミスタ固定装置を配管に取り付けたときの図２のIII−III断面図。
【図４】弾性変形が生じているときのサーミスタ固定装置の図２のIII−III断面図。
【図５】第１固定具の右側面図。
【符号の説明】
【００５９】
１  サーミスタ固定装置
２  サーミスタ
３  配管
１０  第１固定具
１１ａ  第１傾斜面（傾斜面）
１２  保持部
１２ａ  第１保持部
１２ｂ  第２保持部
２０  第２固定具
３０  弾性変形部
７０ａ  切欠き部
【図１】
2010054375.tif 000003
【図２】
2010054375.tif 000004
【図３】
2010054375.tif 000005
【図４】
2010054375.tif 000006
【図５】
2010054375.tif 000007